(57)【要約】      （修正有）【課題】簡単な操作で、検体採取部を培地に接触させ、検体の培養後は消毒剤を容易に且つ確実に容器内に流入させ容器内にある菌を含む培地の消毒が行えるようにする検体採取器具セットを得る。【解決手段】有底で筒状となっている容器１と、容器１内の底部２に保持された培地３と、容器１の開口部４に着脱可能に装着される蓋状体５と、蓋状体５には容器１内に挿入されるスティック６と、スティック６の先端には容器１内の底部２に保持された培地３と非接触状態で容器１内に収容される検体採取部７と、容器１内に挿入された検体採取部７と容器１内の底部２に保持された培地３とを接触させる培地接触手段８と、消毒剤９を内包し蓋状体５内に移動可能に保持され、蓋状体５の頭部側の外部からの押圧を受けて移動する消毒剤包装体１０とを備え、蓋状体５内には、外部からの押圧を受けて移動する消毒剤包装体１０に当接して破包する先端を尖らせた割具１１を備えた。【選択図】図１
2011107080.tif 000002
【特許請求の範囲】
【請求項１】
有底で筒状となっている容器と、容器内の底部に保持された培地と、容器の開口部に着脱可能に装着される蓋状体と、該蓋状体に基端部が固定或いは一体化により設けられ前記容器内に挿入されるスティックと、該スティックの先端に設けられ、前記容器内の底部に保持された前記培地と非接触状態で前記容器内に収容される検体採取部と、前記容器内に挿入された前記スティックの先端に設けられる前記検体採取部と前記容器内の底部に保持された前記培地とを接触させる培地接触手段と、消毒剤を内包し前記蓋状体内に移動可能に保持され、前記蓋状体の頭部側から外部からの押圧を受けて移動する消毒剤包装体とを備え、さらに、前記蓋状体内には、前記外部からの押圧を受けて移動する前記消毒剤包装体に当接し該消毒剤包装体を破包する先端を尖らせた割具を備えたことを特徴とする検体採取器具セット。
【請求項２】
前記容器内に挿入された前記スティックの先端に設けられる前記検体採取部と前記容器内の底部に保持された前記培地とを接触させる培地接触手段にあっては、前記容器を、内部に前記検体採取部を収容する筒胴部と、軟質材で屈曲自在に形成され内部に前記培地を保持する底部とで構成し、前記筒胴部と底部との間を前記培地が筒胴部側へ移動することを阻止する詭弱隔膜で仕切り、該詭弱隔膜には前記底部内に突出する破断棒を設け、前記底部を屈曲させ破断棒に軸方向と直交する方向への力を加えることによって、前記詭弱隔膜を破断し前記筒胴部と前記底部とを連通する構造としたものであることを特徴とする請求項１に記載の検体採取器具セット。
【請求項３】
前記容器内に挿入された前記スティックの先端に設けられる前記検体採取部と前記容器内の底部に保持された前記培地とを接触させる培地接触手段にあっては、前記スティックの先端に設けられた前記検体採取部が前記容器内底部に保持された前記培地と被接触状態で前記容器の開口部に装着された蓋状体を、前記容器の前記底部側へ移動可能とし、前記蓋状体を前記容器の前記底部側へ移動させることにより前記検体採取部が前記培地内に挿入する構造としたものであることを特徴とする請求項１に記載の検体採取器具セット。
【請求項４】
前記容器内底部に保持された前記培地は液体培地であることを特徴とする請求項１、２または３のいずれか１に記載の検体採取器具セット。
【請求項５】
前記容器内底部に保持された前記培地は半流動状態培地であり、この半流動状態培地の開放面に流動パラフィンを積層して覆っていることを特徴とする請求項１、２または３のいずれか１に記載の検体採取器具セット。
【発明の詳細な説明】
【技術分野】
【０００１】
本発明は、医療や臨床検査分野における便その他の体液や患部等からの検体採取及び医療機関、食品製造所、医薬品製造所等で検体を採取するために使用される検体採取器具セットに関する。
【背景技術】
【０００２】
患部組織や体液等の検査や環境衛生検査の分野においては、検体採取前後に該検体採取器具セットの綿球等からなる検体採取部が汚染されないことが重要であり、さらに採取された検体または検体採取部の保存または物理的、化学的、生物学的処理等を行うために該検体採取部を培地に挿入して浸すことが必要となるのが一般的である。また、検体採取部の使用前においては、該検体採取部がその培地の中に浸されていると、検体採取に不都合な場合が多く、例えば検体採取部が綿球の場合には液状の培地に挿入されると綿球がほつれたり、被含水率が少なくなる問題が生じたり、検体採取部に吸収された液体が患部組織などの検体採取対象物に付着するといった問題が生ずる場合もある。
【０００３】
そのため、検体の採取の前後での非汚染性、使用前においては検体採取部が培地に接触されないという条件を満たす検体採取器具セットが要求されている。
また、検体に付着した微生物を培地で培養して、判定等を行った後の廃棄にあっては、培地に病原性微生物等を含む可能性があることから容易にそれを廃棄できず、そのため、容器内にある微生物を含む培地に消毒剤を加えて消毒処理を施してから廃棄するといったことが行われている。この消毒は、一般に一旦培養に使用した容器を開栓して、微生物を含む培地に消毒剤をピペットなどで加えて消毒処理を施してから廃棄しているが、開栓作業が煩わしく、また、培地には微生物を含んでいるため、その作業を十分注意して行わなければならない、といった問題があった。
【０００４】
こうした点を解決し得る検体採取器具セットとして、検体採取部を先端に備えた採取部支持スティックと、採取部支持スティックの基端側を支持した蓋体と、有底で筒状となっていて先端の開口部が蓋体で閉塞される容器とで構成され、蓋体内には、培地と消毒剤をそれぞれ内包し、外力の作用により破壊可能な２つの袋状部材を有し、蓋体内の前記袋状部材の下側に、培地と消毒剤を容器内に流入させる貫通孔が形成された仕切り部材が設けられ、検体を採取したら、検体採取部を容器に収容して、この容器の開口部を蓋体で閉塞し、先ず、培地を内包した袋状部材を破包して培地を容器内に流し込んで検体採取部と接触させて検体採取部で採取した検体を培養し、培地で培養した検体を判定した後、消毒剤を内包した袋状部材を破包して消毒剤を容器内に流し込んで容器内にある微生物を含む培地に消毒剤を加えて消毒処理を施せるようにした検体採取器具セットが提供されている（例えば、特許文献１参照。）。
【先行技術文献】
【特許文献】
【０００５】
【特許文献１】特開平１１−４２０８０号公報
【発明の概要】
【発明が解決しようとする課題】
【０００６】
しかしながら、上記した検体採取器具セットにあっては、蓋体内に培地を内包した袋状部材と消毒剤を内包した袋状部材とが配置され、この培地と消毒剤は、袋状部材の下側に設けられた仕切り部材の貫通孔から容器内に流入するようになっているので、培地を容器内に流入させるため、培地を内包した袋状部材を破包したとき、この破包した袋状部材の破片が貫通孔を塞いでしまうおそれがあり、これにより消毒剤を容器内に流入させることが困難になる場合があるといった問題があった。
また、上記した検体採取器具セットは、培地を内包した袋状部材と消毒剤を内包した袋状部材が並んで配置されているため、取扱者が、誤って培地を内包した袋状部材より先に消毒剤を内包した袋状部材を破包してしまうおそれがあるといった問題があった。
【０００７】
本発明の目的は、簡単な操作で、検体採取部を培地に接触させ、検体の培養後は消毒剤を容易に且つ確実に容器内に流入させ容器内にある微生物を含む培地の消毒が行えるようにする検体採取器具セットを提供するところにある。
【課題を解決するための手段】
【０００８】
上記の目的を達成するため、請求項１に記載の発明は、有底で筒状となっている容器と、容器内の底部に保持された培地と、容器の開口部に着脱可能に装着される蓋状体と、該蓋状体に基端部が固定或いは一体化により設けられ前記容器内に挿入されるスティックと、該スティックの先端に設けられ、前記容器内の底部に保持された前記培地と非接触状態で前記容器内に収容される検体採取部と、前記容器内に挿入された前記スティックの先端に設けられる前記検体採取部と前記容器内の底部に保持された前記培地とを接触させる培地接触手段と、消毒剤を内包し前記蓋状体内に移動可能に保持され、前記蓋状体の頭部側から外部からの押圧を受けて移動する消毒剤包装体とを備え、さらに、前記蓋状体内には、前記外部からの押圧を受けて移動する前記消毒剤包装体に当接し該消毒剤包装体を破包する先端を尖らせた割具を備えたことを特徴とする。
【０００９】
請求項２に記載の発明は、請求項１に記載の、前記容器内に挿入された前記スティックの先端に設けられる前記検体採取部と前記容器内の底部に保持された前記培地とを接触させる培地接触手段にあっては、前記容器を、内部に前記検体採取部を収容する筒胴部と、軟質材で屈曲自在に形成され内部に前記培地を保持する底部とで構成し、前記筒胴部と底部との間を前記培地が筒胴部側へ移動することを阻止する詭弱隔膜で仕切り、該詭弱隔膜には前記底部内に突出する破断棒を設け、前記底部を屈曲させ破断棒に軸方向と直交する方向への力を加えることによって、前記詭弱隔膜を破断し前記筒胴部と前記底部とを連通する構造としたものであることを特徴とする。
【００１０】
請求項３に記載の発明は、請求項１に記載の、前記容器内に挿入された前記スティックの先端に設けられる前記検体採取部と前記容器内の底部に保持された前記培地とを接触させる培地接触手段にあっては、前記スティックの先端に設けられた前記検体採取部が前記容器内底部に保持された前記培地と被接触状態で前記容器の開口部に装着された蓋状体を、前記容器の前記底部側へ移動可能とし、前記蓋状体を前記容器の前記底部側へ移動させることにより前記検体採取部が前記培地内に挿入する構造としたものであることを特徴とする。
【００１１】
請求項４に記載の発明は、請求項１、２または３のいずれか１に記載の、前記容器内底部に保持された前記培地は液状培地であることを特徴とする。
【００１２】
請求項５に記載の発明は、請求項１、２または３のいずれか１に記載の、前記容器内底部に保持された前記培地は半流動状態培地であり、この半流動状態培地の開放面に流動パラフィンを積層して覆っていることを特徴とする。
【発明の効果】
【００１３】
請求項１に記載の検体採取器具セットによれば、有底で筒状となっている容器と、容器内底部に保持された培地と、容器の開口部に着脱可能に装着される蓋状体と、該蓋状体に基端部が固定或いは一体化により設けられ容器内に挿入されるスティックと、該スティックの先端に設けられ、容器内の底部に保持された培地と非接触状態で容器内に収容される検体採取部と、容器内に挿入されたスティックの先端に設けられる検体採取部と容器内の底部に保持された培地とを接触させる培地接触手段と、消毒剤を内包し蓋状体内に移動可能に保持され、蓋状体の頭部側からの外部からの押圧を受けて移動する消毒剤包装体とを備え、さらに、蓋状体内には、外部からの押圧を受けて移動する消毒剤包装体に当接し該消毒剤包装体を破包する先端を尖らせた割具を備えたので、検体採取部による検体採取後、検体採取部を容器内に挿入し、培地接触手段により検体採取部と容器内の底部に保持されている培地とを接触させ、そして、検体に付着した微生物の培養後、蓋状体内に移動可能に保持されている消毒剤包装体を外部より押圧して移動させることにより、消毒剤包装体が前記蓋状体内に設けられ先端を尖らせた割具に当接して破包し、消毒剤包装体内の消毒剤が流れ出し、容器内に流入することにより容器内にある微生物を含む培地の消毒を行うことができることから、検体採取後の検体採取部と容器内の培地との接触操作及び検体に付着した微生物の培養後の培地を消毒する消毒操作を誤操作のおそれなく、容易に且つ確実に行うことができる。
【００１４】
請求項２に記載の検体採取器具セットによれば、請求項１に記載の、容器内に挿入されたスティックの先端に設けられる検体採取部と容器内の底部に保持された培地とを接触させる培地接触手段にあっては、容器を、内部に検体採取部を収容する筒胴部と、軟質材で屈曲自在に形成され内部に培地を保持する底部とで構成し、筒胴部と底部との間を培地が筒胴部側へ移動することを阻止する詭弱隔膜で仕切り、該詭弱隔膜には底部内に突出する破断棒を設け、底部を屈曲させ破断棒に軸方向と直交する方向への力を加えることによって、詭弱隔膜を破断し筒胴部と底部とを連通する構造としたものであるので、底部に保持されている培地は詭弱隔膜により筒胴部内の検体採取部と非接触状態が保たれ、接触させる場合は、底部を屈曲させ破断棒に軸方向と直交する方向への力を加え、詭弱隔膜を破断し筒胴部と底部とを連通させるといった簡単な操作により、底部に保持されていた培地を筒胴部内へ移動させ培地と筒胴部内の検体採取部とを接触させることができる。
【００１５】
請求項３に記載の検体採取器具セットによれば、請求項１に記載の、容器内に挿入されたスティックの先端に設けられる検体採取部と容器内の底部に保持された培地とを接触させる培地接触手段にあっては、スティックの先端に設けられた検体採取部が容器内の底部に保持された培地と被接触状態で容器の開口部に装着された蓋状体を、容器の底部側へ移動可能とし、蓋状体を容器の底部側へ移動させることにより検体採取部が培地内に入る構造としたものであるので、検体採取部と培地とを接触させる場合、容器の開口部に装着された蓋状体を容器の底部側へ移動させるといった簡単な操作により、検体採取部と培地とを接触させることができる。
【００１６】
請求項４に記載の検体採取器具セットによれば、請求項１、２または３のいずれか１に記載の、容器内底部に保持された培地は液状であるので呈色の観察が容易であり、消毒剤との混合が効率的に行える。
【００１７】
請求項５に記載の検体採取器具セットによれば、請求項１、２または３のいずれか１に記載の、前記容器内底部に保持された前記培地は半流動状態培地であり、この半流動状態培地の開放面に流動パラフィンを積層して覆っているので、半流動状態培地を容器内底部に移動しないように保持することができる。
【図面の簡単な説明】
【００１８】
【図１】本発明に係る検体採取器具セットにおける実施の形態の第１例の検体採取部の使用前を示す縦断面図である。
【図２】第１例の検体採取器具セットにおける詭弱隔膜を破断した状態を示す縦断面図である。
【図３】第１例の検体採取器具セットにおける消毒剤包装体を破包し、検体に付着した微生物の培養後の培地を消毒する状態を示す縦断面図である。
【図４】本発明に係る検体採取器具セットにおける実施の形態の第２例の検体採取部の使用前を示す一部切り欠き正面図である。
【図５】図４の縦断面図である。
【図６】第２例の検体採取器具セットにおける検体採取部を培地に接触させた状態を示す一部切り欠き正面図である。
【図７】図６の縦断面図である。
【図８】第２例の検体採取器具セットにおける消毒剤包装体を破包し、検体に付着した微生物の培養後の培地を消毒する状態を示す縦断面図である。
【図９】（ａ），（ｂ）は第２例の検体採取器具セットにおける底部に保持される培地の他例を示す断面図である。
【発明を実施するための形態】
【００１９】
以下、本発明に係る検体採取器具セットの実施の形態の第１例について、図面を参照しながら説明する。
図１乃至図３は本発明に係る検体採取器具セットにおける実施の形態の第１例を示したものである。図１は本例の検体採取器具セットの検体採取部の使用前を示す縦断面図、図２は本例の検体採取器具セットの詭弱隔膜を破断した状態を示す縦断面図、図３は本例の検体採取器具の消毒剤包装体を破包し、検体の培養後の培地を消毒する状態を示す縦断面図である。
【００２０】
本例の検体採取器具セットは、有底で筒状となっている容器１と、容器１内の底部２に保持された培地３と、容器１の開口部４に着脱可能に装着される蓋状体５と、蓋状体５に基端部が固定或いは一体化により設けられ容器１内に挿入されるスティック６と、スティック６の先端に設けられ、容器１内の底部２に保持された培地３と非接触状態で容器１内に収容される検体採取部７と、容器１内に挿入されたスティック６の先端に設けられる検体採取部７と容器１内の底部２に保持された培地３とを接触させる培地接触手段８と、消毒剤９を内包し蓋状体５内に移動可能に保持され、蓋状体５の頭部側から外部からの押圧を受けて移動する消毒剤包装体１０とを備え、さらに、蓋状体５内には、外部からの押圧を受けて移動する消毒剤包装体１０に当接し消毒剤包装体１０を破包する先端を尖らせた割具１１を備えている。
【００２１】
前記の容器１の底部２に保持されている培地３は、検体保存用、検査に付随する物理的・化学的・微生物学的等の処理を行うためのものであって、用途を満たす成分を含む液体、半流動状態、ゲル状態等のもの、またはその内部に粉体等の固形物を含むもの等で形成されており、本例では液状の培地３が用いられる。そして、この液状の培地３は後述するところの培地接触手段８を構成する詭弱隔膜により容器１の底部２に保持されている。
【００２２】
本例の培地接触手段８にあっては、容器１を、内部に検体採取部７を収容する筒胴部１２と、軟質材で屈曲自在に形成され内部に培地３を保持する底部２とで構成し、筒胴部１２と底部２との間を培地３が筒胴部１２側へ移動することを阻止する詭弱隔膜１３で仕切り、詭弱隔膜１３には底部２内に突出する破断棒１４を設け、底部２を屈曲させ破断棒１４に軸方向と直交する方向への力を加えることによって、詭弱隔膜１３を破断し筒胴部１２と底部２とを連通する構造としている。
【００２３】
前記の筒胴部１２と底部２とにあっては、筒胴部１２の底部側端部の外周に雄ネジ１５が形成され、底部２の開口部内周に雌ネジ１６が形成されており、筒胴部１２の底部側端部の外周に底部２の開口部が液密に螺合して固定された構成となっている。そして、筒胴部１２の底部側開口端部に前記した詭弱隔膜１３が筒胴部１２の底部側開口端部を封止するように設けられている。また、筒胴部１２と底部２は内部が透視できるように透明或いは半透明となっている。
【００２４】
容器１の開口部４に着脱可能に装着される蓋状体５にあっては、本例では、蓋状体５が筒状となっており、内部に仕切り板１７が設けられ、仕切り板１７の下側が容器１の開口部４に装着される装着部１８となり、仕切り板１７の上側が内部に消毒剤包装体１０を移動可能に保持する保持部１９となっている。そして、装着部１８の装着手段として、本例では装着部１８の内周には容器１の開口部４の外周に形成された雄ネジ２０に螺合する雌ネジ２１が形成されている。
【００２５】
蓋状体５に設けられた仕切り板１７には、その下面側に前記のスティック６が設けられており、そしてスティック６の長さにあっては、蓋状体５の装着部１８を容器１の開口部４に螺合して容器１の開口部４に蓋状体５を装着したとき、その先端に設けられた検体採取部７が前記した詭弱隔膜１３に達しないように設定されている。
また、仕切り板１７の上面側には、保持部１９に保持され外部からの押圧を受けて移動する消毒剤包装体１０に当接し消毒剤包装体１０を破包する前記した割具１１が設けられている。また、保持部１９の内周面には、保持部１９に保持されている消毒剤包装体１０が割具１１側へ容易に移動することを阻止するストッパ２２が設けられている。このストッパ２２は、消毒剤包装体１０を強く押圧したとき、消毒剤包装体１０が乗り上げて移動可能な程度の高さを有する突起により形成されている。また、仕切り板１７には、割具１１によって破包された消毒剤包装体１０内の消毒剤９を容器１へ流入させる孔２３が設けられている。
【００２６】
蓋状体５の上端部は開口しており、上端部に設けられた天板２４により開閉可能となっている。天板２４は薄肉により形成されるヒンジ２５を介して蓋状体５と一体に構成されている。また、蓋状体５の上端部には消毒剤包装体１０を露出させ消毒剤包装体１０の押圧を容易にするための切り欠き部２６が形成されている。
【００２７】
蓋状体５の保持部１９に保持される消毒剤包装体１０にあっては、検体の培養に使用された培地３を消毒する必要量の消毒剤９が内包されており、その材質は変形可能で且つ割具１１によって破包可能であれば特に限定されるものではない。また、その大きさにあっては、蓋状体５の保持部１９内に収容しストッパ２２で移動を阻止した状態に保持されたとき、その上部が蓋状体５の上端部に形成されている切り欠き部２６から露出する程度の大きさであることが好ましい。
【００２８】
蓋状体５に設けられたスティック６の先端に設けられている検体採取部７にあっては、収縮性があり且つ液体を含浸できる素材であれば特に限定されず、綿や合成繊維等の繊維質、発泡ウレタン等の合成樹脂、またはこれらの組合せの材質からなり、その形状にあっては、綿球状、匙状、リング状、細かい凹凸のあるもの等、検体を採取しやすい構造となっている。綿球状のものでは、通常の綿棒で用いられているものや、植毛構造のものが好適である。
【００２９】
このようにして構成された検体採取器具セットでは、検体を検体採取部７で採取する際には、蓋状体５を容器１から外して、スティック６と共に検体採取部７を容器１の外に出す。かかる状態で、蓋状体５を把持して、検体採取部７を検体に接触させ、擦り付けたり、すくったり等して、検体を採取する。検体を採取した後は、検体採取部７を容器１内に挿入し、容器１に蓋状体５を装着する。
【００３０】
そして、培地接触手段８により、検体採取部７と容器１内の底部２に保持された培地３とを接触させて検体に付着した微生物を培養する。本例では、図２に示すように、底部２を屈曲させ破断棒１４に軸方向と直交する方向への力を加え詭弱隔膜１３を破断し筒胴部１２と底部２とを連通させ、容器１を上下に軽く振って容器１内の底部２に保持された培地３を、検体採取部７を収容している筒胴部１２側へ移動させることにより検体採取部７と培地３とを接触させて検体に付着した微生物を培養する。
【００３１】
培地３で培養した微生物の判定等を行った後は、蓋状体５の上端部を閉鎖している天板２４を開けて蓋状体５の上端部を開口し、蓋状体５の上端部に上部を露出させている消毒剤包装体１０を押圧してストッパ２２を乗り越えるようにして移動させ、仕切り板１７に設けられている割具１１に押し当てて消毒剤包装体１０を破包する。消毒剤包装体１０の破包により、消毒剤包装体１０内の消毒剤９が流れ出して仕切り板１７に設けた孔２３から容器１へ流入し、容器１内にある微生物を含む培地３が消毒される。
このように、本例の検体採取器具セットによれば、検体採取後の検体採取部７と容器１内の培地３との接触操作及び検体の培養後の培地３を消毒する消毒操作を誤操作のおそれなく、容易に且つ確実に行うことができる。
また、本例では、培地３が液状であるので呈色の観察が容易であり、消毒剤との混合が効率的に行える。
【００３２】
また、本例では、培地接触手段８が、内部に検体採取部７を収容する筒胴部１２と、軟質材で屈曲自在に形成され内部に培地３を保持する底部２とで構成し、筒胴部１２と底部２との間を培地３が筒胴部１２側へ移動することを阻止する詭弱隔膜１３で仕切り、詭弱隔膜１３には底部２内に突出する破断棒１４を設け、底部２を屈曲させ破断棒１４に軸方向と直交する方向への力を加えることによって、詭弱隔膜１３を破断し筒胴部１２と底部２とを連通する構造となっているので、底部２に保持されている培地３は詭弱隔膜１３により筒胴部１２内の検体採取部７と非接触状態に保たれ、接触させる場合は、底部２を屈曲させ破断棒１４に軸方向と直交する方向への力を加え、詭弱隔膜１３を破断し筒胴部１２と底部２とを連通させるといった簡単な操作により、底部２に保持されていた培地３を筒胴部１２内へ移動させ培地３と筒胴部１２内の検体採取部７とを接触させることができる。
【００３３】
また、本例では、蓋状体５の上端部は天板２４により開閉可能となっているので、検体採取部７で採取した検体を培地３で培養し、培地３で培養した検体に付着した微生物を判定するまで、蓋状体５の上端部を天板２４で閉じておくことにより、誤って蓋状体５の保持部１９に保持されている消毒剤包装体１０を押圧して破包してしまうことを確実に防止することができる。
【００３４】
図４乃至図９は本発明に係る検体採取器具セットにおける実施の形態の第２例を示したものである。図４は本例の検体採取器具セットの検体採取部の使用前を示す一部切り欠き正面図、図５は図４の縦断面図、図６は本例の検体採取器具セットの検体採取部を培地に接触させた状態を示す一部切り欠き正面図、図７は図６の縦断面図、図８は本例の検体採取器具セットの消毒剤包装体を破包し、検体の培養後の培地を消毒する状態を示す縦断面図、図９（ａ）、（ｂ）は本例の検体採取器具セットの底部に保持される培地の他例を示す断面図である。なお、図１乃至図３と対応する部分には、同一の符号を付けて示している。
【００３５】
本例の検体採取器具セットは、前記した第１例と同様に、有底で筒状となっている容器１と、容器１内の底部２に保持されたゲル状態の培地３と、容器１の開口部４に着脱可能に装着される蓋状体５と、蓋状体５に基端部が固定或いは一体化により設けられ容器１内に挿入されるスティック６と、スティック６の先端に設けられ、容器１内の底部２に保持された培地３と非接触状態で容器１内に収容される検体採取部７と、容器１内に挿入されたスティック６の先端に設けられる検体採取部７と容器１内の底部２に保持された培地３とを接触させる培地接触手段８と、消毒剤９を内包し蓋状体５内に移動可能に保持され、蓋状体５の頭部側から外部からの押圧を受けて移動する消毒剤包装体１０とを備え、さらに、蓋状体５内には、外部からの押圧を受けて移動する消毒剤包装体１０に当接し消毒剤包装体１０を破包する先端を尖らせた割具１１を備えている。
【００３６】
本例では、容器１内の底部２に保持されている培地３は、容器１内の底部２に移動しないように保持することができるものとしてゲル状態の培地３となっている。しかし、これにかぎられるものではなく、培地３として半流動状態培地を使用し、この半流動状態培地の開放面に流動パラフィンを積層して覆い、半流動状態培地を容器１内の底部２に移動しないように保持することができるようにしたものであってもよい。
【００３７】
本例の容器１の開口部４に着脱可能に装着される蓋状体５にあっては、前記した第１例と同様に、蓋状体５が筒状となっており、内部に仕切り板１７が設けられ、仕切り板１７の下側が容器１の開口部４に装着される装着部１８となり、仕切り板１７の上側が内部に消毒剤包装体１０を移動可能に保持する保持部１９となっている。
【００３８】
装着部１８における装着手段にあっては前記した第１例と異なり、本例では、容器１の開口部４の外周面に突子２７が設けられ、そして、蓋状体５の装着部１８には、その開口端縁から軸方向に伸びる第１溝部２８と、第１溝部２８から周方向に伸びる第２溝部２９が設けられた構成からなり、容器１の開口部４への蓋状体５の装着は、容器１の開口部４へ蓋状体５の装着部１８を嵌合し、蓋状体５の装着部１８の第１溝部２８に容器１の開口部４の外周面に突子２７を係合させて蓋状体５を軸方向に移動させ、突子２７が第２溝部２９の位置に達したら蓋状体５を回転させて突子２７を第２溝部２９に係合させることにより行うようになっている（図４参照。）。
【００３９】
蓋状体５の仕切り板１７の下面側に設けられているスティック６の長さにあっては、前記のようにして蓋状体５の装着部１８を容器１の開口部４に装着したとき、その先端に設けられた検体採取部７が容器１の底部２に保持されている培地３に達しないように設定されている。
【００４０】
また、本例も、前記第１例と同様に、仕切り板１７の上面側には、保持部１９に保持され外部からの押圧を受けて移動する消毒剤包装体１０に当接し消毒剤包装体１０を破包する前記した割具１１が設けられ、また、保持部１９の内周面には、保持部１９に保持されている消毒剤包装体１０が割具１１側へ容易に移動することを阻止するストッパ２２が設けられている。また、仕切り板１７には、割具１１によって破包された消毒剤包装体１０内の消毒剤９を容器１へ流入させる孔２３が設けられている。
【００４１】
また、前記第１例と同様に、蓋状体５の上端部は開口しており、上端部に設けられた帽子部３０により開閉可能となっている。帽子部３０は薄肉により形成されるヒンジ２５を介して蓋状体５と一体の構成となっている。
【００４２】
蓋状体５の保持部１９に保持される消毒剤包装体１０にあっては、検体に付着した微生物の培養に使用された培地３を消毒する必要量の消毒剤９が内包されており、その材質は変形可能で且つ割具１１によって破包可能であれば特に限定されるものではない。また、その大きさにあっては、本例では、蓋状体５の保持部１９内に収容しストッパ２２で移動を阻止した状態に保持されたとき、その上部が蓋状体５の上端部から突出し、前記した蓋状体５の上端部を閉じる帽子部３０内に収まる大きさとなっている。
【００４３】
蓋状体５に設けられたスティック６の先端に設けられている検体採取部７にあっては、前記した第１例と同様に、収縮性があり且つ液体を含浸できる素材であれば特に限定されず、綿や合成繊維等の繊維質、発泡ウレタン等の合成樹脂、またはこれらの組合せの材質からなり、その形状にあっては、綿球状、匙状、リング状、細かい凹凸のあるもの等、検体を採取しやすい構造となっている。綿球状のものでは、通常の綿棒で用いられているものや、植毛構造のものが好適である。
【００４４】
本例の培地接触手段８にあっては、容器１の開口部４に装着された蓋状体５を、容器１の底部２側へ移動可能とし、蓋状体５を容器１の底部２側へ移動させることにより検体採取部７が培地３内に挿入する構造としている。本例では、蓋状体５の装着部１８に、第２溝部２９から蓋状体５の頭部側に向かって軸方向に伸びる第３溝部３１が設けられており、蓋状体５を回転させて第２溝部２９に係合している突子２７を第３溝部３１に達するまで移動させ、この状態から突子２７を第３溝部３１に係合させて蓋状体５を容器１の底部２側へ移動させることにより検体採取部７が培地３内に挿入する構造としている（図６参照。）。
【００４５】
このようにして構成された検体採取器具セットでは、検体を検体採取部７で採取する際には、第１例と同様に、蓋状体５を容器１から外して、スティック６と共に検体採取部７を容器１の外に出し、検体採取部７を検体に接触させて検体を採取する。検体を採取した後は、検体採取部７を容器１内に挿入し、そして、培地接触手段８により、検体採取部７と容器１内の底部２に保持された培地３とを接触させて検体を培養する。本例では、図６，図７に示すように、蓋状体５を容器１の底部２側へ移動させて検体採取部７を培地３内に挿入することにより検体採取部７と培地３とを接触させて検体に付着した微生物を培養する。
【００４６】
培地３で培養した微生物を判定した後は、蓋状体５の上端部を閉鎖している帽子部３０を開けて蓋状体５の上端部を開口し、蓋状体５の上端部から上部を突出している消毒剤包装体１０を押圧してストッパ２２を乗り越えるようにして移動させ、仕切り板１７に設けられている割具１１に押し当てて消毒剤包装体１０を破包する。消毒剤包装体１０の破包により、消毒剤包装体１０内の消毒剤９が流れ出して仕切り板１７に設けた孔２３から容器１へ流入し、容器１内にある微生物を含む培地３が消毒される。
【００４７】
このように、本例の検体採取器具セットによれば、検体採取後の検体採取部７と容器１内の培地３との接触操作及び検体の培養後の培地３を消毒する消毒操作を誤操作のおそれなく、容易に且つ確実に行うことができる。
【００４８】
また、本例では、培地接触手段８が、スティック６の先端に設けられた検体採取部７が容器１内の底部２に保持された培地３と被接触状態で容器１の開口部４に装着された蓋状体５を、容器１の底部２側へ移動可能とし、蓋状体５を容器１の底部２側へ移動させることにより検体採取部７が培地３内に入る構造となっているので、検体採取部７と培地３とを接触させる場合、容器１の開口部４に装着された蓋状体５を容器１の底部２側へ移動させるといった簡単な操作により、検体採取部７と培地５とを接触させることができる。
【００４９】
また、本例では、蓋状体５の上端部は帽子部３０により開閉可能となっているので、検体採取部７で採取した検体に付着した微生物を培地３で培養し、培地３で培養した検体を検知するまで、蓋状体５の上端部を帽子部３０で閉じておくことにより、誤って蓋状体５の保持部１９に保持されている消毒剤包装体１０を押圧して破包してしまうことを確実に防止することができる。
【００５０】
なお、本例では、容器１の底部２に保持されている培地３はゲル状態の培地３となっているが、第１例と同様に液状の培地３であってもよい。
液状の培地３である場合は、容器１を、内部に検体採取部７を収容する筒胴部１２と、内部に培地３を保持する底部２とで構成し、筒胴部１２と底部との間を培地３が筒胴部１２側へ移動することを阻止する詭弱隔膜１３で仕切り（図９（ａ）参照。）、蓋状体５を容器１の底部２側へ移動させることにより底部２側へ移動する検体採取部７が詭弱隔膜１３を破断するようにした（図９（ｂ）参照。）構造とすることにより、容器１の底部２に液状の培地３保持することができ、そして、底部２側へ移動する検体採取部７により詭弱隔膜１３を容易に破断し、検体採取部７と培地３とを接触させることができる。
【００５１】
前記の筒胴部１２と底部２とにあっては、筒胴部１２の底部側端部の外周に雄ネジ１５が形成され、底部２の開口部内周に雌ネジ１６が形成されており、筒胴部１２の底部側端部の外周に底部２の開口部が液密に螺合して固定された構成となっている。そして、筒胴部１２の底部側開口端部に前記した詭弱隔膜１３が筒胴部１２の底部側開口端部を封止するように設けられている。
【符号の説明】
【００５２】
１  容器
２  底部
３  培地
４  開口部
５  蓋状体
６  スティック
７  検体採取部
８  培地接触手段
９  消毒剤
１０  消毒剤包装体
１１  割具
１２  筒胴部
１３  詭弱隔膜
１４  破断棒
１５  雄ネジ
１６  雌ネジ
１７  仕切り板
１８  装着部
１９  保持部
２０  雄ネジ
２１  雌ネジ
２２  ストッパ
２３  孔
２４  天板
２５  ヒンジ
２６  切り欠き部
２７  突子
２８  第１溝部
２９  第２溝部
３０  帽子部
３１  第３溝部
【図１】
2011107080.tif 000003
【図２】
2011107080.tif 000004
【図３】
2011107080.tif 000005
【図４】
2011107080.tif 000006
【図５】
2011107080.tif 000007
【図６】
2011107080.tif 000008
【図７】
2011107080.tif 000009
【図８】
2011107080.tif 000010
【図９】
2011107080.tif 000011